(57)【要約】      （修正有）【課題】コンテナを改良して、錠（ロック機構）が外観に現れず、しかも、解錠しても所定の手順によらねば開くことができないようなパズル式コンテナの提供。【解決手段】有底の函状枠６がコンテナの骨格である。この有底函状枠６に頂面覆板７を乗せて蓋とし（矢印１）、一対の側面覆板８，８′を矢印２，２′のように装着して、側面覆板取付ネジ９で固定し（矢印３，３′）、その次に一対の端面覆板１０，１０′を装着し（矢印４，４′）、この端面覆板を隠しネジ１１で有底函状枠６に固定する（矢印５）。上記隠しネジ１１は外観に現れない。このような構造であるから、最初に隠しネジ１１を抜き取らないと分解できず、しかも、上記隠しネジ１１を抜き取っても、前述の組み立て手順１〜５の反対の順序でなければ分解して頂面覆板７を開くことができない。【選択図】図１
0003117584.tif 000002
【実用新案登録請求の範囲】
【請求項１】
有底の函状枠（６）の頂部開口を覆う頂面覆板（７）と、
上記有底函状枠（６）及び頂面覆板（７）に係合して、該有底函状枠（６）の側面を覆う一対の側面覆板（８，８′）と、
上記側面覆板（８）を有底函状枠（６）に固定する側面覆板取付ネジ（９）と、
上記側面覆板取付ネジ（９）を覆い隠して、有底函状枠（６）の端面を覆う一対の端面覆板（１０，１０′）と、
上記一対の端面覆板（１０，１０′）それぞれを、有底函状枠（６）に固定する隠しネジ（１１）と、を具備していることを特徴とする、パズル式のコンテナ。
【請求項２】
側面覆板（８，８′）を、有底の函状枠（６）及び頂面覆板（７）に係合する手段が、
有底函状枠（６）に穿たれたフック孔（６ａ）および頂面覆板（７）に穿たれたフック孔（７ａ）と、側面覆板（８）に設けられて上記フック孔（６ａ，７ａ）に差し込まれるフック（８ａ）との対偶であり、
及び／又は、
端面覆板（１０，１０′）を、有底の函状枠（６）及び頂面覆板（７）に係合する手段が、有底函状枠（６）に穿たれたフック孔（６ａ）および頂面覆板（７）に穿たれたフック孔（７ａ）と、端面覆板（１０）に設けられて上記フック孔（６ａ，７ａ）に差し込まれるフック（１０ａ）との対偶であることを特徴とする、請求項１に記載したパズル式のコンテナ。
【請求項３】
側面覆板（８）の下端の面に開口（８ａ）が設けられるとともに、上記開口の内側に、
「有底函状枠（６）の側面に対して垂直な透孔（８ｂ）が穿たれており、
かつ、有底函状枠（６）の側面に、上記透孔（８ｂ）と同心のメネジ孔（６ｂ）が設けられていて、
上記透孔（８ｂ）に挿通された隠しネジ（１１）が、前記メネジ孔（６ｂ）に螺合されるようになっていることを特徴とする、請求項１または請求項２に記載したパズル式のコンテナ。
【考案の詳細な説明】
【技術分野】
【０００１】
本考案は、第三者が易に開き得ず、かつ、ロック機構が外観に現れないように改良したコンテナに関するものである。ただし、本考案においてコンテナとは、形状寸法の大小を問わず、物品を収納する筺体を総称する意であって、その用途を限定されない。
【背景技術】
【０００２】
コンテナに関しては種々の改良工夫が為されており、ロック方式に関してはロック機能を有する包装箱（特許文献１）や、折畳みコンテナ（特許文献２）が提案されている。
特定の者以外は容易に開き得ないようにすることについて、種々の工夫が為されているが、要するに厳重に施錠（ロック）するものであって、施錠機構そのものを隠してしまおうという発想は未だ無かった。また一旦開錠してしまえば、その後の開扉は簡単に行なうことができた。
【特許文献１】特開２００５−１４４５５３号公報
【特許文献２】特開２００５−１０４４９０号公報
【特許文献３】特開２００２−２９３３２６号公報
【考案の開示】
【考案が解決しようとする課題】
【０００３】
ロック式のコンテナに関しては多数の発明考案が公開されている。しかし、解決すべき課題が多岐に亙り、操作の作業性改善や、空の場合の折り畳みを可能ならしめるなどが解決課題に採り上げられているが、盗難防止や秘密保持（盗視防止）については未だ完全ではない。
如何に丈夫な施錠を施しても、錠が外観に現れていて、手を触れることができれば盗難や盗視の危険が有る。
本考案は上述の事情に鑑みて為されたもので、その目的とする処は、錠（ロック機構）が外観に現れず、かつ、たとえ開錠しても所定の手順を履まなければ開くことのできないコンテナを提供するにある。
【課題を解決するための手段】
【０００４】
上記の目的を達成するために創作した本考案の基本的原理を、その１実施形態に対応する図１を参照しつつ略述すると次の通りである。
コンテナの骨格を成しているのは、有底の函状枠６である。
イ．上記の有底函状枠６に物品を入れて、矢印１のように頂面覆板７を被せる。
ロ．上記頂面覆板７を押さえ付けて、側面覆板８，８′を、矢印２，２′のように有底函状枠６の側面に装着する。
ハ．側面覆板取付ネジ９で、矢印３，３′のように、側面覆板８，８′を有底函状枠６に固定する。
ニ．上記側面覆板取付ネジ９を覆い隠して、端面覆板１０，１０′を有底函状枠６に装着する。
ホ．上記の端面覆板１０，１０′を、隠しネジ１１で有底函状枠６に固定する。
これにより、隠しネジ１１の存在を知らない限り、コンテナの収納物品に触れることも見ることもできない。
その上、隠しネジ１１を抜き取っても、前記の手順イ→ホの反対の順序ホ→イを履まねば覆板を取り外すことはできない。
このように、所定の手順によらねば開くことのできないことをパズル機能と名付ける。
本考案はパズル機能を備えたコンテナを創作したものである。
【０００５】
上述の原理に基づく具体的な構造として請求項１に係る考案は（図１参照）、
有底の函状枠（６）の頂部開口を覆う頂面覆板（７）と、
上記有底函状枠（６）及び頂面覆板（７）に係合して、該有底函状枠（６）の側面を覆う一対の側面覆板（８，８′）と、
上記側面覆板（８）を有底函状枠（６）に固定する側面覆板取付ネジ（９）と、
上記側面覆板取付ネジ（９）を覆い隠して、有底函状枠（６）の端面を覆う一対の端面覆板（１０，１０′）と、
上記一対の端面覆板（１０，１０′）それぞれを、有底函状枠（６）に固定する隠しネジ（１１）と、を具備していることを特徴とする。
【０００６】
請求項２に係る考案の構成は、前記請求項１の考案の構成要件に加えて、
（図２参照）側面覆板（８，８′）を、有底の函状枠（６）及び頂面覆板（７）に係合する手段が、
有底函状枠（６）に穿たれたフック孔（６ａ）および頂面覆板（７）に穿たれたフック孔（７ａ）と、側面覆板（８）に設けられて上記フック孔（６ａ，７ａ）に差し込まれるフック（８ａ）との対偶であり、
及び／又は、（図３参照）  端面覆板（１０，１０′）を、有底の函状枠（６）及び頂面覆板（７）に係合する手段が、
有底函状枠（６）に穿たれたフック孔（６ａ）および頂面覆板（７）に穿たれたフック孔（７ａ）と、端面覆板（１０）に設けられて上記フック孔（６ａ，７ａ）に差し込まれるフック（１０ａ）との対偶であることを特徴とする。
【０００７】
請求項３に係る考案の構成は、前記請求項１または請求項２の考案の構成要件に加えて、
（図４参照）側面覆板（８）の下端の面に開口（８ａ）が設けられるとともに、
上記開口の内側に、「有底の函状枠（６）の側面に対して垂直な透孔（８ｂ）が穿たれており、
かつ、有底函状枠（６）の側面に、上記透孔（８ｂ）と同心のメネジ孔（６ｂ）が設けられていて、
上記透孔（８ｂ）に挿通された隠しネジ（１１）が、前記メネジ孔（６ｂ）に螺合されるようになっていることを特徴とする、請求項１または請求項２に記載したパズル式のコンテナ。
【考案の効果】
【０００８】
請求項１の考案によれば、有底の函状枠６に対して頂面覆板７と、側面覆板８と、側面覆板取付ネジ９と、端面覆板１０とが順次に組つけられた構造であるから、その反対の順序に操作しなけれコンテナを開くことができない。
その上、閉じたばあいに最終の手順であり開く場合に最初の手順である端面覆板１０が、ロック手段である隠しネジ１１によって固定されているから、当該コンテナの外観にロック手段が現れない。このようにパズル機能が果たされる。  
このパズル機能によって盗難や盗視を防止することができ、しかも外観がすっきりしていて意匠的な価値が高い。
【０００９】
請求項２の考案によると、簡単な構造で「有底函状枠６及び頂面覆板７」に対して側面覆板８を係着し、及び／又は、端面覆板１０を係着することができる。
特に、単一部材であるフックを「有底函状枠６のフック孔６ａと頂面覆板７のフック孔７ａ」に差し込むことによって、頂面覆板７が有底函状枠６に対して自動的に固定され、このフックを外さない限り、蓋として作用している頂面覆板７を開くことができないので、パズル機能がより完全になる。
【００１０】
請求項３の考案によると、簡単で低コストの、しかも有効な隠しネジが構成される。  すなわち、請求項１の考案を実施する場合、端面覆板１０，１０′を装着することによってコンテナの密封性が完成し、これに隠しネジを施すことによってロックされるのであって、任意の構造の隠しネジを適用することもできる。しかし、本請求項３の隠しネジ１１を適用すると、目立たず、しかも第三者には発見されにくく、その上、信頼性が高くて、コンテナ搬送中に振動や衝撃を受けてもロック機能を喪失する虞れが無い。
このようにして、完璧なパズル機能が発揮され、しかも構造が簡単で製作コストが低廉である。
【考案を実施するための最良の形態】
【００１１】
図１は本考案に係るパズル式コンテナの１実施形態を示す分解斜視図に、パズル操作の手順（１〜５）を付記した説明図である。
符号６を付して示したのは有底の函状枠であって、本例のコンテナにおける骨格を形成している。
この有底函状枠６の中に所望の物品を入れて頂面覆板７を被せる。（矢印１の手順）これによって、前記有底函状枠６は蓋をされた形になる。
更に必要なことは、勝手に蓋を開けないようにすること（盗難防止）、および収納物品を見えなくすること（盗視・盗撮防止）である。
【００１２】
前記有底函状枠６の周囲上面にはフック孔６ａが穿たれており、これに対応するフック孔７ａが頂面覆板７に穿たれている。尚、上記の「対応する」とは、蓋をしたときに重なり合う意である。
一方、側面覆板８は、前記有底函状枠６の側面を覆い得る形の板状部材であって、その上縁付近に「前記フック孔６ａおよびフック孔７ａに係合するフック８ａ」が設けられている。
矢印２の手順で、上記のフック８ａを鎖線矢印のようにフック孔７ａ及びフック孔６ａに差し込んで係着する。これにより、「フック８ａを取りはずさなければ頂面覆板７を開けない状態」が現出される。
【００１３】
本考案においては、有底函状枠６の両側面を覆うように、２枚の側面覆板８，８′が設けられる。
本図１において側面覆板８′は外側面を手前に向けているのでフック８ａが隠れ線で描かれているが、前記の側面覆板８と同様にして、手順矢印２′のごとく有底函状枠６に装着される。
この手順矢印２の工程については、図２を参照して後に詳しく説明する。
【００１４】
矢印３の手順で、側面覆板取付ネジ９によって側面覆板８を有底函状枠６に固定する。
これにより、側面覆板取付ネジ９を抜き取らねば側面覆板８を取り外すことができなくなる。ただし、この段階（手順３）まででは、側面覆板取付ネジ９が外観に現れているので、盗難防止効果は不充分である（盗難・盗視防止効果は、引き続いて説明する手順４、手順５によって完成する）。
なお、本実施形態においては、１個の側面覆板を４個の側面覆板取付ネジ９で固定しているので、該側面覆板取付ネジ９の設置個数は全部で８本である（その内の４本を図示してある）。
【００１５】
有底函状枠６の両端面を覆うように、２枚の端面覆板１０，１０′が設けられている。これら端面覆板の構造は、先に説明した側面覆板８，８′と類似である。
すなわち、フック１０ａを備えていて、頂面覆板７のフック孔７ａおよび有底函状枠６のフック孔６ａに差し込んで係合される（矢印４，４′）。
この手順４により、側面覆板取付ネジ９が覆い隠される。このため「端面覆板を取り外さなければ側面覆板取付ネジ９を抜き取ることができない」という、パズル機能の一つのステップが形成される。
この手順４の工程については、図３を参照して後に詳しく説明する。
【００１６】
前記端面覆板１０，１０′には、隠しネジ１１が設けられていて、外観に現れないようにして、該端面覆板を有底函状枠６に固定している（手順矢印４，４′）。これにより、組み立て方向のパズル機能が完成する。
上記隠しネジ１１の構造については、図４を参照して後に詳しく説明する。
以上のようにして、錠（ロック機構）が外観に現れないように、かつ所定の手順を履まなければ頂面覆板７を開き得ないように、パズル式のコンテナが形成される。
【００１７】
図２は、手順２を説明するための工程図である。
（Ａ）に実線で描いたのは、有底函状枠６を覆った頂面覆板７と、取り付け前の側面覆板８とである。
側面覆板８に設けられているフック８ａを、矢印αのように、頂面覆板７のフック孔７ａを通って、有底函状枠６のフック孔６ａに差し込む。
実際の操作は、鎖線出描かれている位置の側面覆板８″を矢印２ａのごとく有底函状枠６に接近させ、フック８ａをフック孔７ａに差し込みながら、矢印２ｂのごとく圧し下げる。
その後、側面覆板取付ネジ９を取り付けると（Ｂ）図のようになる（手順３）。
【００１８】
図３（Ａ）には、前掲の図２（Ｂ）に描かれていた（手順３を完了した状態）コンテナが描かれ、更に端面覆板１０が描き添えられている。
端面覆板１０のフック１０ａを頂面覆板７のフック孔７ａに差し込んで装着する（手順４）。
図示を省略したが、この操作も、前掲の図２において矢印２ａ，２ｂに分解して説明したように、近づけてからフックを差し込む。
【００１９】
上述のようにして、手順４の操作を終了した状態のコンテナを図３（Ｂ）に示した。
有底函状枠６は、頂面覆板７と側面覆板８，８′と端面覆板１０，１０′とに覆われて隠されている。
鎖線の円で示した箇所に隠しネジ１１が設けられて、端面覆板１０′を有底函状枠６に固定している（その詳細は、図４を参照して次の段落で説明する）。
従って、上記の隠しネジ１１を取り外さなければ、端面覆板１０′を開くことができない。このようにしてパズル機能が完成している。
【００２０】
図４は、前記隠しネジ１１付近の拡大断面図である。側面覆板８の下面に開口８ａが設けられ、隠しネジ１１を差し入れ得るようになっている。
一方、有底函状枠６にメネジ孔６ｂが設けられ、側面覆板８には、上記メネジ孔６ｂと同心をなす位置に透孔８ｂが穿たれている。
前記開口８ａの中へ隠しネジ１１を差し入れ、透孔８ｂを通してメネジ孔６ｂに螺入して締め付けると、側面覆板８が有底函状枠６に対して固定される。 
【００２１】
図４の構造から容易に理解されるように、隠しネジ１１は外観に現れず、第三者にとって、その存在を察知することはできない。
この図４を見ると、隠しネジ１１の螺入および螺脱の操作が困難ではないかと危惧されるかも知れないが、本考案者の実験によると、「開口８ａの、紙面に垂直な方向の寸法」を充分に取っておけば、隠しネジ１１の螺入操作も螺脱操作も、別段の困難無く遂行できる。この場合、ラチェット式のレンチを使用すると一層容易に操作することができる。
【図面の簡単な説明】
【００２２】
【図１】本考案に係るパズル式コンテナの１実施形態を示し、組み立て工程の手順１、手順２、手順３、手順４、及び手順５を表す矢印を付記し、部分的に破断して描いた分解斜視図。
【図２】前掲の図１における手順３を説明するために示したもので、（Ａ）は手順１を終えて手順２を進めている状態を模式的に描いた斜視図、（Ｂ）は手順２を終えた状態の外観斜視図。
【図３】前掲の図１における手順４を説明するために示したもので、（Ａ）は手順３を終えて手順４を進めている状態を模式的に描いた斜視図、（Ｂ）は手順４を終えた状態の外観斜視図。
【図４】前掲の図１及び図３に描かれている隠しネジ１１を説明する為に示したもので、該隠しネジ付近を拡大して描いた垂直断面図。
【符号の説明】
【００２３】
１…手順１（第１の工程）を表す矢印、２、２′…手順２（第２の工程）を表す矢印、３、３′…手順３（第３の工程）を表す矢印、４、４′…手順４（第４の工程）を表す矢印、５…手順５（第５の工程）を表す矢印、６…有底の函状枠、６ａ…フック孔、６ｂ…メネジ孔、７…頂面覆板、７ａ…フック孔、８…側面覆板、８ａ…フック、９…側面覆板取付ネジ、１０、１０′…端面覆板、１０ａ…フック、１１…隠しネジ。
【図１】
0003117584.tif 000003
【図２】
0003117584.tif 000004
【図３】
0003117584.tif 000005
【図４】
0003117584.tif 000006